(57)【要約】【課題】日文字セグメントによる多桁数字を、切換スイッチや切換え機構等により、国情に合わせた表示形態に簡単に切り換える可能とする。【解決手段】複数の日文字セグメントからなる多桁数字の表示が可能な電子機器等の表示装置において、３桁区切りの表示に関し、この３桁区切りの表示が日文字セグメントと日文字セグメントとの間に設けられるとともに、その間の上部、中央部、下部のいずれかの位置に３桁区切りの表示位置を切り換え可能な表示位置切換スイッチ４と、小数点の表示に関し、この小数点の表示が日文字セグメントと日文字セグメントとの間に設けられるとともに、その表示形状を切り換え可能な表示形状切換スイッチ５とが、装置本体１に設けられている。【選択図】  図１
2004226634.tif 000002
【特許請求の範囲】
【請求項１】
複数の日文字セグメントからなる電子機器等の表示装置において、
３桁区切りの表示に関し、この３桁区切りの表示が日文字セグメントと日文字セグメントとの間に設けられるとともに、その間の上部、中央部、下部のいずれかの位置に前記３桁区切りの表示位置を切り換え可能な表示位置切換スイッチが設けられていることを特徴とする表示装置。
【請求項２】
複数の日文字セグメントからなる電子機器等の表示装置において、
小数点の表示に関し、この小数点の表示が日文字セグメントと日文字セグメントとの間に設けられるとともに、その表示形状を切り換え可能な表示形状切換スイッチが設けられていることを特徴とする表示装置。
【請求項３】
複数の日文字セグメントからなる電子機器等の表示装置において、
３桁区切りの表示に関し、この３桁区切りの表示が日文字セグメントと日文字セグメントとの間に設けられるとともに、その間の上部、中央部、下部のいずれかの位置に前記３桁区切りの表示位置を切り換え可能な表示位置切換スイッチと、
小数点の表示に関し、この小数点の表示が日文字セグメントと日文字セグメントとの間に設けられるとともに、その表示形状を切り換え可能な表示形状切換スイッチとが設けられていることを特徴とする表示装置。
【請求項４】
複数の日文字セグメントを表示する表示部の上部及び下部をマスクする表示部マスク部材と、この表示部マスク部材を上下にスライド可能なスライド機構部とが設けられており、前記表示部マスク部材を下方にスライドさせることにより、表示部の上部に表示された３桁区切りの表示をマスクし、前記表示部マスク部材を上方にスライドさせることにより、表示部の下部に表示された３桁区切りの表示をマスクすることを特徴とする請求項１または請求項３に記載の表示装置。
【発明の詳細な説明】
【０００１】
【発明の属する技術分野】
本発明は、複数の日文字セグメントからなる電子機器等の表示装置であって、３桁区切りの表示や小数点の表示に関し、国の習慣等による多桁数字の表示形態に対応可能な表示装置に関する。
【０００２】
【従来の技術】
複数の日文字セグメントからなる電子機器等の表示装置において、表示の見易さを実現するための種々の手法が提案されている。
【０００３】
例えば、数字の下にドット表示で多桁を変数記号「Ｔ」「Ｍ」「Ｂ」にて表示させ、読み易さを実現した装置が提案されている（例えば、特許文献１参照）。
【０００４】
また、１０進数から２進数に切り換えたときの読み易さのために、区切りの桁数と位置とを切換え可能とした電子機器も提案されている（例えば、特許文献２参照）。
【０００５】
さらに、多段の表示装置において、マスク部材により１段を隠すことにより、他の１段のみを表示させて数字を見易くした電子機器も提案されている（例えば、特許文献３参照）。
【０００６】
【特許文献１】
実開平３−１２７９４８号公報
【特許文献２】
特開平１−２２９２９４号公報
【特許文献３】
特開平９−２６０８６３号公報
【０００７】
【発明が解決しようとする課題】
上記特許文献１は、桁区切りを３桁または４桁に切り換えるものであり、桁区切り位置の読み易さのために切り換えるものではない。また、上記特許文献２は、１０進法から２進法等に切り換えたときの読み易さを実現したものであり、１０進法の多桁数字の読み易さを国の習慣等に応じて切り換えるものではない。また、小数点も読み易さのためにその形状を変化させるものではない。さらに、上記特許文献３は、上下２段の数字の読み易さを実現したものであり、多桁の数字自体の読み易さを実現するものではない。
【０００８】
このように、従来技術では、電卓等の装置で多桁の読み易さとして、「，」の代わりにドット表示の符号によるものはあったが、１台の装置で国の習慣等により多桁の読み易さをスイッチの切換えで簡単にできるものは、提案されていない。数字自体に関しては、国際的に通用するものであるが、多桁の区切り方法や小数点は、国の数学等の歴史が違っており、国際的に統合されていないのが現状である。そのため、今までは、国情に合わせてそれぞれの国の表示形態に対応させた装置を個別に作製していた。
【０００９】
本発明は係る問題点を解決すべく創案されたもので、その目的は、切換スイッチや切換え機構等により、国情に合わせた表示形態に簡単に切り換えることのできる表示装置を提供することにある。
【００１０】
【課題を解決するための手段】
本発明の表示装置は、複数の日文字セグメントからなる電子機器等の表示装置であって、３桁区切りの表示に関し、この３桁区切りの表示が日文字セグメントと日文字セグメントとの間に設けられるとともに、その間の上部、中央部、下部のいずれかの位置に前記３桁区切りの表示位置を切り換え可能な表示位置切換スイッチが設けられていることを特徴とする。
【００１１】
このような特徴を有する本発明によれば、各国の事情に合わせて、例えば３桁区切りの表示を日文字セグメントと日文字セグメントとの間の例えば下部位置に表示する国については、３桁区切りの表示を日文字セグメントと日文字セグメントの下部位置に表示することができ、３桁区切りの表示を日文字セグメントと日文字セグメントとの間の例えば上部位置に表示する国については、３桁区切りの表示を日文字セグメントと日文字セグメントの上部位置に表示することができる。
【００１２】
また、本発明の表示装置は、複数の日文字セグメントからなる電子機器等の表示装置であって、小数点の表示に関し、この小数点の表示が日文字セグメントと日文字セグメントとの間に設けられるとともに、その表示形状を切り換え可能な表示形状切換スイッチが設けられていることを特徴とする。
【００１３】
このような特徴を有する本発明によれば、例えば小数点の形状が「．」である国については、小数点を「．」で表示し、小数点の形状が「，」である国については、小数点を「，」で表示することが可能となる。
【００１４】
また、本発明の表示装置にはさらに、複数の日文字セグメントを表示する表示部の上部及び下部をマスクする表示部マスク部材と、この表示部マスク部材を上下にスライド可能なスライド機構部とが設けられており、前記表示部マスク部材を下方にスライドさせることにより、表示部の上部に表示された３桁区切りの表示をマスクし、前記表示部マスク部材を上方にスライドさせることにより、表示部の下部に表示された３桁区切りの表示をマスクすることを特徴とする。
【００１５】
このような特徴を有する本発明によれば、表示部マスク部材をスライド移動させるだけで、３桁区切りの表示位置を上部、下部のいずれかに切り換えることができる。
【００１６】
【発明の実施の形態】
以下、本発明の実施の形態について、図面を参照して説明する。
【００１７】
図１は、本発明の表示装置を搭載した電子機器（電卓）の全体図を示しており、装置本体１の上部に、１０桁からなる日文字セグメントの表示器２が設けられており、下部にテンキーや各種機能キー等からなるキーボード部３が設けられている。表示器２は、本実施形態では液晶表示（ＬＣＤ）となっており、図中２ａで示す「．」は小数点、２ｂで示す「，」は３桁区切りの表示である。
【００１８】
また、表示器２の下部とキーボード部３の上部との間に、３桁区切りの表示位置を日文字セグメントと日文字セグメントとの間の上部、中央部、下部のいずれかに切り換える表示位置切換スイッチ４と、小数点の表示形状を「．」または「，」のいずれかに切り換える表示形状切換スイッチ５とが設けられている。これら表示位置切換スイッチ４及び表示形状切換スイッチ５は、本実施形態ではいずれもスライドスイッチとなっているが、スライドスイッチ構造に限定されるものではない。
【００１９】
図２は、上記構成の電子機器のシステムブロック図を示している。
【００２０】
この電子機器は、ＣＰＵ１１、ＲＯＭ１２、ＲＡＭ１３、キーボード部３、表示位置切換スイッチ４、表示形状切換スイッチ５、及び表示器２の表示を制御する表示制御器１４を備えている。また、表示制御器１４は、表示位置切換スイッチ４の切り換え操作に応じて３桁区切りの表示位置を上部、中央部、下部のいずれかに切り換え表示する表示位置切換制御部１４ａ、及び小数点切換スイッチ５の切り換え操作に応じて少数点の表示形状を「．」または「，」のいずれかに切り換えて表示する表示形状切換制御部１４ｂを備えている。
【００２１】
ＣＰＵ１１は、キーボード３、表示位置切換スイッチ４及び小数点切換スイッチ５からの各種キーの読み込み処理、表示処理、演算処理など電子機器の備える機能の制御を行う。ＲＯＭ１２は、ＣＰＵ１１で行う上記各処理を実行するためのプログラムや表示用のＣＧ等を記憶している。ＲＡＭ１３は、各種フラグやデータを格納するとともに、上記処理を実行するときにはワークエリアとして動作する部分である。
【００２２】
次に、上記構成の電子機器において、３桁区切りの表示位置の切り換え処理と、小数点の表示形状の切り換え処理について、図３に示すフローチャートを参照して説明する。
【００２３】
ＬＣＤ表示では、まず、ステップＳ１において、小数点位置を変数Ｓに入れ、次のステップＳ２において、整数部の表示桁数を変数Ｋに入れる。例えば、「１０．２」という数字であれば、Ｓには「２」、Ｋには「２」が入る。
【００２４】
次に、ステップＳ３において、数字（マイナス記号を含む）を表示する。
【００２５】
次に、ステップＳ４において、小数点の表示形状を切り換える表示形状切換スイッチ５の位置を判定し、表示形状として「．」が選択されている場合にはステップＳ５へ、「，」が選択されている場合にはステップＳ６へ進む。
【００２６】
ステップＳ５では、表示形状切換制御部１４ｂを制御して表示部のＳ桁目の右下に「．」を表示し、ステップＳ６では、表示形状切換制御部１４ｂを制御して表示部のＳ桁目の右下に「，」を表示する。
【００２７】
次に、ステップＳ７において、変数ＳＳにＳの値を入れ、変数ＫＫにＫの値を入れる。
【００２８】
次に、ステップＳ８において、ＫＫが４以上かどうかを判定し、４未満であれば、ＬＣＤ表示を終了する。一方、４以上である場合にはステップＳ９に進み、ＳＳを３増加させる。
【００２９】
次に、ステップＳ１０において、３桁区切りの表示位置を切り換える表示位置切換スイッチ４の位置を判定し、スイッチの位置が上部であればステップＳ１１に、中央部であればステップＳ１２に、下部であればステップＳ１３に進む。
【００３０】
ステップＳ１１ではＳＳ桁目の右上に「，」を表示し、ステップＳ１２ではＳＳ桁目の右中央に「，」を表示し、ステップＳ１３ではＳＳ桁目の右下に「，」を表示する。
【００３１】
次に、ステップＳ１４において、ＫＫを３小さくする。そして、ステップＳ８に戻り、終了条件になるまで（すなわち、ステップＳ８でＮｏと判定されるまで）、ステップＳ８〜ステップＳ１４の処理を繰り返す。例えば、Ｓが「２」、Ｋが「８」であった場合（例えば、「１２，３４５，６７８．９０」）には、ステップＳ９〜ステップＳ１４の処理が２回繰り返されることになる。
【００３２】
図４（ａ）〜（ｅ）は、Ｓが「２」、Ｋが「８」であった場合の上記処理結果の表示例を示している。（ａ）は、ＬＣＤ表示部を全灯表示してセグメント内容を示した場合の表示例を示しており、（ｂ）は、表示形状切換スイッチ５により小数点の表示形状として「．」が選択され、表示位置切換スイッチ４により３桁区切りの表示位置として「下部」が選択された場合の表示例を示しており、（ｃ）は、表示形状切換スイッチ５により小数点の表示形状として「，」が選択され、表示位置切換スイッチ４により３桁区切りの表示位置として「中央部」が選択された場合の表示例を示しており、（ｄ）は、表示形状切換スイッチ５により小数点の表示形状として「．」が選択され、表示位置切換スイッチ４により３桁区切りの表示位置として「上部」が選択された場合の表示例を示しており、（ｅ）は、表示形状切換スイッチ５により小数点の表示形状として「，」が選択され、表示位置切換スイッチ４により３桁区切りの表示位置として「上部」が選択された場合の表示例を示している。なお、（ｂ）は主に日本及びアメリカの慣習に習って、３桁区切り位置と小数点形状とを表示した例であり、（ｃ）は主に欧州ヨーロッパ地域の慣習に習って、３桁区切り位置と小数点形状とを表示した例である。
【００３３】
このように、本実施形態の電子機器によれば、各切換スイッチ４，５を切換え操作するだけで、多桁数字を各国の事情に合わせた表示形態に簡単に切り換えることが可能となっている。
【００３４】
図５は、本発明の表示装置を搭載した電子機器（電卓）の他の実施形態を示す要部説明図であり、（ａ）は内部を透視した状態の概略平面図、（ｂ）は側面図、（ｃ）はＡ−Ａ′線断面図、（ｄ）はＢ−Ｂ′線断面図である。
【００３５】
本実施形態では、表示器２のＬＣＤ表示部２１の上部及び下部をマスクする表示部マスク部材６と、この表示部マスク部材６を上下にスライド可能なスライド機構部７とが設けられている。
【００３６】
表示部マスク部材６は、図６に示すように、ＬＣＤ表示部２１の形状にほぼ匹敵する形状の透明部６１を備えており、この透明部６１の周囲を囲むようにして、マスク部６２が設けられている。このマスク部６２の左右両縁部には、後述する装置本体１側に設けられたスライド溝部７４内を上下方向にスライドするスライド片７１，７１が設けられており、このスライド片７１，７１の上部側及び下部側の２箇所（合計４箇所）に、それぞれ係止凹部７２，７２・・・が形成されている。また、一方のスライド片７２（図６では右側のスライド片７２）には、ユーザが手動操作するためのスライド操作杆７３が側方に突出形成されている。
【００３７】
一方、図５（ｃ）、（ｄ）に示すように、装置本体１の左右の側壁１１，１１の内面側には、マスク部６２の左右両縁部に設けられたスライド片７１，７１を内包する形で上下（図５（ｃ）、（ｄ）では紙面に対して垂直方向）にスライド可能に保持するスライド溝部７４，７４が設けられている。また、装置本体１の左右の側壁１１，１１の内面側には、各スライド片７１，７１のそれぞれに設けられた一対の係止凹部７２，７２の間隔Ｔ１よりも若干広い間隔Ｔ２を存して、これら係止凹部７２，７２に個別に係止する一対の係止凸部７５，７５がそれぞれ形成されている。さらに、一方のスライド溝部７４（図６では右側のスライド溝部７４）の側壁１１には、マスク部６２に形成されたスライド操作杆７３を装置本体１外に突出させるための所定長さに形成された貫通穴１１１が設けられている。
【００３８】
このような構成において、装置本体１の側壁１１から突出したスライド操作杆７３を下方にスライドさせて、左右側壁１１，１１の内面上部側に形成された係止凸部７５，７５に、マスク部６２の左右のスライド片７１，７１の上部側に形成された係止凹部７２，７２をそれぞれ係止させると、ＬＣＤ表示部２１の上部に表示されていた３桁区切りの表示がマスク部６２によってマスクされ、３桁区切りの表示が下側に視認される。一方、スライド操作杆７３を上方にスライドさせて、左右側壁１１の内面下部側に形成された係止凸部７５，７５に、マスク部６２の左右のスライド片７１，７１の下部側に形成された係止凹部７５，７５をそれぞれ係止させると、ＬＣＤ表示部２１の下部に表示されていた３桁区切りの表示がマスク部６２によってマスクされ、３桁区切りの表示が上側に視認される構造となっている。
【００３９】
なお、係止凹部７２と係止凸部７５とは、ユーザによるスライド操作杆７３の僅かな操作力で係脱できるように、係止凹部７２は平面視半円弧形状に形成され、係止凸部７５は平面視半円筒形状に形成されている。
【００４０】
因みに、図７（ａ）は、ＬＣＤ表示部２１を全灯表示した例、（ｂ）及び（ｃ）は、スライド操作杆７３を下方にスライドさせてＬＣＤ表示部２１の上部に表示されていた３桁区切りの表示をマスク部６２によってマスクし、３桁区切りの表示が下側に視認されるように操作した例、（ｄ）及び（ｅ）は、スライド操作杆７３を上方にスライドさせてＬＣＤ表示部２１の下部に表示されていた３桁区切りの表示をマスク部６２によってマスクし、３桁区切りの表示が上側に視認されるように操作した例を示している。また、図８（ａ）は、Ｓが「２」、Ｋが「８」である「１２，３４５，６７８．９０」の１０桁の数字を、スライド操作杆７３を下方にスライドさせて、３桁区切りの表示を下部に表示した例、同図（ｂ）は、同じく「１２，３４５，６７８．９０」の１０桁の数字を、スライド操作杆７３を上方にスライドさせて、３桁区切りの表示を上部に表示した例を示している。
【００４１】
【発明の効果】
本発明の表示装置によれば、複数の日文字セグメントからなる多桁数字の表示形態を、国の習慣や個人差に応じて最も読み易い表示形態に簡単に切り換えることができる。また、このような切り換えが同一装置で実現できるので、従来は各国の表示形態に合わせて個別に作成していた部品等を全て一本化することができ、生産性の向上やコスト低減を図ることができる。
【図面の簡単な説明】
【図１】本発明の表示装置を搭載した電子機器（電卓）の全体構成を示す平面図である。
【図２】本発明の表示装置を搭載した電子機器のシステムブロック図である。
【図３】本発明の表示装置を搭載した電子機器において、３桁区切りの表示位置の切り換え処理と小数点の表示形状の切り換え処理とを示すフローチャートである。
【図４】（ａ）〜（ｅ）は、Ｓが「２」でＫが「８」であった場合の処理結果の表示例である。
【図５】本発明の表示装置を搭載した電子機器の他の実施形態を示す要部説明図であり、（ａ）は内部を透視した状態の概略平面図、（ｂ）は側面図、（ｃ）はＡ−Ａ′線断面図、（ｄ）はＢ−Ｂ′線断面図である。
【図６】表示部マスク部材の平面図である。
【図７】（ａ）は、ＬＣＤ表示部を全灯表示した例、（ｂ）及び（ｃ）は、スライド操作杆を下方にスライドさせたときのＬＣＤ表示部の概略平面図及び側面図、（ｄ）及び（ｅ）は、スライド操作杆を上方にスライドさせたときのＬＣＤ表示部の概略平面図及び側面図である。
【図８】（ａ）は、「１２，３４５，６７８．９０」の１０桁の数字を、スライド操作杆を下方にスライドさせて、３桁区切りの表示を下部に表示した説明図、（ｂ）は、「１２，３４５，６７８．９０」の１０桁の数字を、スライド操作杆を上方にスライドさせて、３桁区切りの表示を上部に表示した説明図である。
【符号の説明】
１  装置本体
２  表示器
３  キーボード部
４  表示位置切換スイッチ
５  表示形状切換スイッチ
６  表示部マスク部材
７  スライド機構部
１１  ＣＰＵ
１２  ＲＯＭ
１３  ＲＡＭ
１４  表示制御器
１４ａ  表示位置切換制御部
１４ｂ  表示形状切換制御部
１１  側壁
１１１  貫通穴
２１  ＬＣＤ表示部
６１  透明部
６２  マスク部
７１  スライド片
７２  係止凹部
７３  スライド操作杆
７４  スライド溝部
７５  係止凸部
【図１】
2004226634.tif 000003
【図２】
2004226634.tif 000004
【図３】
2004226634.tif 000005
【図４】
2004226634.tif 000006
【図５】
2004226634.tif 000007
【図６】
2004226634.tif 000008
【図７】
2004226634.tif 000009
【図８】
2004226634.tif 000010